(57)【要約】【課題】使い捨て式置換キャップを具える箸構造を提供する。【解決手段】本考案が提供する使い捨て式置換キャップを具える箸構造は、箸体及び置換キャップを含み、そのうち、該箸体は、掴持端及び挟持端を含み、且つ該挟持端の径度は、該掴持端より小さく、該挟持端上且つ掴持端の近隣する位置上に嵌合部を有し、また、該置換キャップは、中空状であり、該箸体の挟持端上に被せ設けることに用いられ、且つ該置換キャップは、該箸体の挟持端上に被せ設けられ、該嵌合部に嵌合し、置換キャップを該挟持端の外環面上にパッキングし、該置換キャップの可交換性により、該箸設計に環境保護及び利便性を兼ね備える。【選択図】図２
0003167341.tif 000002
【実用新案登録請求の範囲】
【請求項１】
箸体及び置換キャップを含み、
該箸体は、掴持端及び挟持端を含み、
該挟持端の径度は、該掴持端より小さく、該挟持端上且つ掴持端の近隣する位置上に嵌合部を有し、
該置換キャップは、中空状であり、該箸体の挟持端上に被せることが可能であり、且つ該置換キャップは、該箸体の挟持端上に被せられ、該嵌合部に嵌合し、置換キャップを該挟持端の外環面上にパッキングし、置換キャップ及び挟持端の相対位置が固定される使い捨て式置換キャップを具える箸構造。
【請求項２】
前記箸体は、ステンレス、プラスチック又は木材材質の何れか1種から構成される請求項１に記載の使い捨て式置換キャップを具える箸構造。
【請求項３】
前記置換キャップは、紙質、食用プラスチック材質又は穀物粉スラリー等の有機食用の材質の何れか1種から構成される請求項１に記載の使い捨て式置換キャップを具える箸構造。
【請求項４】
前記置換キャップ内側端面位置に嵌合溝を設け、且つ該嵌合溝は、該嵌合部と相互に噛み合う請求項１に記載の使い捨て式置換キャップを具える箸構造。
【請求項５】
前記嵌合部及び嵌合溝は、ねじ山状及びねじ山状の組み合わせである請求項４に記載の使い捨て式置換キャップを具える箸構造。
【請求項６】
前記嵌合部及び嵌合溝は、それぞれ凹溝及び凸部又は凸部及び凹溝の対応組み合わせの何れかである請求項４に記載の使い捨て式置換キャップを具える箸構造。
【請求項７】
掴持端及び挟持端を有し、且つ該掴持端の径度が該挟持端の径度より大きい箸体と、
中空状であり、該箸体の挟持端上に被せ設けることに用いられる置換キャップと、を含み、該置換キャップの内部径度は、該挟持端の経度に等しく、該置換キャップを該挟持端に被せ設けた後、その内環面が該挟持端の外環面にパッキングする使い捨て式置換キャップを具える箸構造。
【請求項８】
前記箸体は、ステンレス、プラスチック又は木材材質の何れか1種から構成される請求項７に記載の使い捨て式置換キャップを具える箸構造。
【請求項９】
前記置換キャップは、紙質、食用プラスチック材質又は穀物粉スラリー等の有機食用の材質の何れか1種から構成される請求項７に記載の使い捨て式置換キャップを具える箸構造。
【請求項１０】
前記挟持端上且つ掴持端に近隣する位置に嵌合部を設ける請求項７に記載の使い捨て式置換キャップを具える箸構造。
【請求項１１】
前記置換キャップ内側端面位置に嵌合溝を設け、且つ該嵌合溝は、該嵌合部と相互に組み合わさり結合する請求項１０に記載の使い捨て式置換キャップを具える箸構造。
【請求項１２】
前記嵌合部及び嵌合溝は、ねじ山状及びねじ山状の組み合わせである請求項１１に記載の使い捨て式置換キャップを具える箸構造。
【請求項１３】
前記嵌合部及び嵌合溝は、それぞれ凹溝及び凸部又は凸部及び凹溝の対応組み合わせの何れかである請求項１１に記載の使い捨て式置換キャップを具える箸構造。
【考案の詳細な説明】
【技術分野】
【０００１】
本考案は、環境保護型衛生食器に関し、特に使い捨て式置換キャップを有する箸構造に関する。
【背景技術】
【０００２】
箸は、既に人々の日常生活において不可欠な食器となっており、家庭、学校、レストラン等の場所、食事を取る場所であれば、箸が存在する。
【０００３】
近年より、人々は、生活様式の変化により、飲食も益々外食を行う機会が多くなり、多くのレストランは、利便性及び衛生を兼ね備えるため、木材又は竹材から構成される箸を客に使用させ、この種の箸は、通称、衛生箸（割り箸）と称され、衛生箸は、衛生の追及するため、製造過程において層毎に化学処理を経る必要があり、例えば、殺菌及び漂白の後で始めて使用を提供でき、過程が環境保護に適合せず、衛生箸は、使い捨て型であり、使用後、即捨てることができ、そのレストランは、食器の使用上の利便性を具える。この種の衛生箸は、迅速交換及び使い素手の利便性を有し、レストランにとっては、洗浄の人力を節減でき、時間節約の効果を達成するが、衛生箸は、再利用性を具えず、環境汚染に大きな影響を及ぼし、且つ層毎の化学処理を経て、その上の残留化学物が衛生安全に直接的に影響を及ぼし易く、環境保護意識の向上において、衛生箸は、淘汰される趨勢にある。
【０００４】
したがって、環境保護意識及び衛生安全の影響の下、多くの外食する人々が繰り返し使用可能な箸を携帯し、環境保護箸と呼ばれている。箸は元々細長形状のロッド体に属し、携帯に不便であるので、徐々に収納し易い環境保護箸構造に発展し、一般によく見られるのは、２節に分解可能な箸体であり、食事時に組み合わせて使用し、衛生安全及び環境保護を兼ね備えている。環境保護箸は、衛生箸に比較し、多くの利点があるが、人々が皆環境保護箸を随時携帯することはできないので、人々が食事又は一般の出店で食事をする時、依然として業者の提供する箸を必要とし、このような困難な状況において、解決すべき問題が存在している。
【先行技術文献】
【特許文献】
【０００５】
【特許文献１】特開２０１０−７５６４３号公報
【考案の概要】
【考案が解決しようとする課題】
【０００６】
上記の欠陥に対し、本考案の目的は、使い捨て式置換キャップを具える箸構造を提供し、食べ物を挟持することに用いる箸体局部を交換する構造により、従来の衛生箸の利便性を保有する以外に、更に元々使用する箸体を保留し、環境保護性を兼ね備えるようにすることである。
【課題を解決するための手段】
【０００７】
上記の目的を達成するため、本考案が提供する使い捨て式置換キャップを具える箸構造は、箸体及び置換キャップを含み、そのうち、該箸体は、掴持端及び挟持端を含み、且つ該挟持端の径度は、該掴持端より小さく、該挟持端上且つ掴持端の近隣する位置上に嵌合部を有し、また、該置換キャップは、中空状であり、該箸体の挟持端上に被せ設けることに用いられ、且つ該置換キャップは、該箸体の挟持端上に被せ設けられ、該嵌合部に嵌合し、置換キャップを該挟持端の外環面上にパッキングし、該置換キャップの可交換性により、該箸設計に環境保護及び利便性を兼ね備えさせ、同時に衛生及び使用者のコスト要求に適合する。
【考案の効果】
【０００８】
本考案の使い捨て式置換キャップを具える箸構造は、食べ物を挟持することに用いる箸体局部を交換する構造により、従来の衛生箸の利便性を保有する以外に、更に元々使用する箸体を保留し、環境保護性を兼ね備える。
【図面の簡単な説明】
【０００９】
【図１】本考案の好適実施例の構造組み合わせ図である。
【図２】本考案の好適実施例の構造分解図である。
【図３】本考案の構造組み合わせ断面図である。
【図４】本考案の置換キャップの他の実施例の構造断面図である。
【図５】本考案の置換キャップの更に他の実施例の構造断面図である。
【図６】本考案の他の実施例の構造分解図である。
【図７】本考案の更に他の実施例の構造分解図である。
【図８】本考案のまた更に他の実施例の構造分解図である。
【図９】本考案の使用状態図である。
【考案を実施するための形態】
【００１０】
本考案の上記及びその他の目的、特徴及び利点を分かりやすくするため、以下に好適実施例を挙げ、図面に合わせて詳細に説明する。
【００１１】
図１及び図２は、本考案の好適実施例の構造組み合わせ図及び構造分解図である。図に示すように、本考案の箸構造は、箸体１を有し、該箸体１は、長柱形を呈し、該箸体１の材質は、ステンレス、プラスチック又は木材材質から構成される。該箸体１は、掴持端１１及び挟持端１２を有し、該箸体１の掴持端１１及び挟持端１２は、一体に構成されるか、分かれて構成される。そのうち、該掴持端１１の直径は、該挟持端１２より大きく、且つ該挟持端１２の径度は、外向きに徐々に縮小し、錐形の筒状を形成する。また、該箸構造は、更に置換キャップ２を含み、該置換キャップ２は、中空薄膜状を呈し、該箸体１の挟持端１２中に被せられる。且つ、該置換キャップ２の内筒形状は、該挟持端１２と同一であるが、その置換キャップ２内筒形状の内径は、該挟持端１２の径度より小さいか同一であり、該置換キャップ２を該挟持端１２上に被せた後、該置換キャップ２は、該挟持端１２外周面上にしっかりとパッキングし、箸体１と一体に形成される（図７参照）。また、該置換キャップ２は、紙質、食品用プラスチック材質又は穀物粉スラリー等の有機食用の材質から構成される薄膜キャップである。該置換キャップ２は、耐温度性且つ吸水性が低い特性を有する。また、図２の好適実施例に示すように、該挟持端１２上且つ掴持端１１に近隣する位置上にねじ山状の嵌合部１３を設け、該置換キャップ２を該挟持端１２上に被せた後、該置換キャップ２の内周面が該挟持端１２の嵌合部１３上にしっかりとパッキングし、該置換キャップ２が使用過程において、容易に脱落しないように確保されることが、図３の構造の組み合わせ断面に示される。
【００１２】
図４及び図５は、本考案の置換キャップ２の他の実施例及び更に他の実施例の構造説明図である。図に示すように、該置換キャップ２の外表面上に粗面（図４参照）又はエンボス面（図５参照）を設置でき、該置換キャップ２表面の摩擦力を増加し、挟持の力量を向上する。
【００１３】
図６は、本考案の他の実施例の構造分解図である。図に示すように、該挟持端１２は、ねじ山状の嵌合部１３を設ける以外に、該置換キャップ２の内側端口周縁上に対応して嵌合するねじ山段に対応可能な嵌合溝２１を設け、該置換キャップ２を該挟持端１２に被せ設けた後、該嵌合部１３及び該嵌合溝２１は、相互に螺合し、嵌合し、該置換キャップ２の使用過程において脱落しないように確保する。また、図８の実施例に示すように、該嵌合部１３及び嵌合溝２１は、例えば、図６のねじ山状設計のように相互に噛み合うか、図８に示すように、該嵌合部１３は、凹溝であることができ、該嵌合溝２１が凸部であるか、相互に置換することができ、該嵌合部１２及び嵌合溝２１を相互に嵌合させ一体に結合させる。
【００１４】
図９は、本考案の使用状態図である。図に示すように、本考案の置換キャップ２は、先に真空袋３中に真空パッケージされ、箸を使用時に、真空袋３を直接開き、箸体１の挟持端１２を該置換キャップ２に直接被せ設け、使用することができ、使用が完了後、置換キャップ２を直接捨てることができ、次回使用時に他の置換キャップ２を開封し、時間節約及び環境保護の効果を達成する。
【符号の説明】
【００１５】
１  箸体
１１  掴持端
１２  挟持端
１３  嵌合部
２  置換キャップ
２１  嵌合溝
３  真空袋
【図１】
0003167341.tif 000003
【図２】
0003167341.tif 000004
【図３】
0003167341.tif 000005
【図４】
0003167341.tif 000006
【図５】
0003167341.tif 000007
【図６】
0003167341.tif 000008
【図７】
0003167341.tif 000009
【図８】
0003167341.tif 000010
【図９】
0003167341.tif 000011